(57)【要約】 【課題】煩雑な操作を行うことなく、２種類のフォーマットの映像に対して、それぞれのフォーマットに応じた位置に特殊効果を施す。【解決手段】操作手段２２で指定される各位置に対応して、第１のフォーマットの映像の表示画面上で特殊効果を施すべき位置に関する調整値を第１の位置調整値記憶手段１９に記憶し、第２のフォーマットの映像の表示画面上で特殊効果を施すべき位置に関する調整値を第２の位置調整値記憶手段２０に記憶する。操作手段２２で位置が指定されると、制御手段１７は、指定された位置に対応する位置調整値記憶手段１９内の調整値に基づき、第１のフォーマットの映像が入力する第１の映像特殊効果手段１１を制御し、指定された位置に対応する位置調整値記憶手段２０内の調整値に基づき、第２のフォーマットの映像が入力する第２の映像特殊効果手段１４を制御する。【選択図】図６
2007336376.tif 000002
【特許請求の範囲】
【請求項１】
画面上の位置を指定するための操作手段と、
入力する第１のフォーマットの映像信号に対して特殊効果を施す第１の映像特殊効果手段と、
入力する第２のフォーマットの映像信号に対して特殊効果を施す第２の映像特殊効果手段と、
前記操作手段で指定される各々の位置に対応して、前記第１のフォーマットの映像信号の表示画面上で特殊効果を施すべき位置に関する第１の調整値を記憶した第１の位置調整値記憶手段と、
前記操作手段で指定される各々の位置に対応して、前記第２のフォーマットの映像信号の表示画面上で特殊効果を施すべき位置に関する第２の調整値を記憶した第２の位置調整値記憶手段と、
前記操作手段で位置が指定されたことに応じて、前記指定された位置に対応する前記第１の位置調整値記憶手段内の前記第１の調整値に基づいて前記第１の映像特殊効果手段を制御するとともに、前記指定された位置に対応する前記第２の位置調整値記憶手段内の前記第２の調整値に基づいて前記第２の映像特殊効果手段を制御する制御手段と
を備えたことを特徴とする映像特殊効果装置。
【請求項２】
請求項１に記載の映像特殊効果装置において、
前記操作手段は、画面の四隅のうちのいずれか及び／画面の端を指定するための操作手段であり、
前記第１の調整値は、前記第１のフォーマットの映像信号の表示画面の端との距離を示す値であり、
前記第２の調整値は、前記第２のフォーマットの映像信号の表示画面の端との距離を示す値である
ことを特徴とする映像特殊効果装置。
【請求項３】
請求項１に記載の映像特殊効果装置において、
前記第１の調整値は、前記第１のフォーマットの映像信号の表示画面において特殊効果を施す領域の左右の両端及び／または上下の両端を示す値であり、
前記第２の調整値は、前記第２のフォーマットの映像信号の表示画面において特殊効果を施す領域の左右の両端及び／または上下の両端を示す値であり、
前記制御手段は、前記第１の調整値によって決定される領域のサイズに応じて、特殊効果を施す領域のサイズを調整させる制御を前記第１の映像特殊効果手段に対して行うとともに、前記第２の調整値によって決定される領域のサイズに応じて、特殊効果を施す領域のサイズを調整させる制御を前記第２の映像特殊効果手段に対して行う
ことを特徴とする映像特殊効果装置。
【請求項４】
請求項１に記載の映像特殊効果装置において、
前記第１の調整値は、前記第１のフォーマットの映像信号の表示画面において特殊効果を施す領域のサイズを示す値も含んでおり、
前記第２の調整値は、前記第２のフォーマットの映像信号の表示画面において特殊効果を施す領域のサイズを示す値も含んでおり、
前記制御手段は、前記第１の調整値中のサイズの値に応じて、特殊効果を施す領域のサイズを調整させる制御を前記第１の映像特殊効果手段に対して行うとともに、前記第２の調整値中のサイズの値に応じて、特殊効果を施す領域のサイズを調整させる制御を前記第２の映像特殊効果手段に対して行う
ことを特徴とする映像特殊効果装置。
【請求項５】
請求項１に記載の映像特殊効果装置において、
前記第１のフォーマットはＨＤ(High Definition)フォーマットであり、前記第２のフォーマットはＳＤ(Standard Definition)フォーマットであることを特徴とする映像特殊効果装置。
【請求項６】
請求項１に記載の映像特殊効果装置において、
前記第１の映像特殊効果手段，前記第２の映像特殊効果手段は、映像に字幕を重畳する処理及び／または画面の一部に別の子画面を配置する処理をそれぞれ行うことを特徴とする映像特殊効果装置。
【請求項７】
画面上の位置を指定するための操作手段と、
入力する第１のフォーマットの映像信号に対して特殊効果を施す第１の映像特殊効果手段と、
入力する第２のフォーマットの映像信号に対して特殊効果を施す第２の映像特殊効果手段と
を有する映像特殊効果装置の制御方法において、
前記操作手段で指定される各々の位置に対応して、前記第１のフォーマットの映像信号の表示画面上で特殊効果を施すべき位置に関する第１の調整値を第１の位置調整値記憶手段に記憶する第１のステップと、
前記操作手段で指定される各々の位置に対応して、前記第２のフォーマットの映像信号の表示画面上で特殊効果を施すべき位置に関する第２の調整値を第２の位置調整値記憶手段に記憶する第２のステップと、
前記操作手段で位置が指定されたことに応じて、前記指定された位置に対応する前記第１の位置調整値記憶手段内の前記第１の調整値に基づいて前記第１の映像特殊効果手段を制御するとともに、前記指定された位置に対応する前記第２の位置調整値記憶手段内の前記第２の調整値に基づいて前記第２の映像特殊効果手段を制御する第３のステップと
を有することを特徴とする映像特殊効果装置の制御方法。
【請求項８】
画面上の位置を指定するための操作手段と、
入力する第１のフォーマットの映像信号に対して特殊効果を施す第１の映像特殊効果手段と、
入力する第２のフォーマットの映像信号に対して特殊効果を施す第２の映像特殊効果手段と、
前記操作手段で指定された位置に対応して、前記第１のフォーマットの映像信号の表示画面上で特殊効果を施すべき位置に関する第１の調整値を計算するための演算を行う第１の演算処理手段と、
前記操作手段で指定された位置に対応して、前記第２のフォーマットの映像信号の表示画面上で特殊効果を施すべき位置に関する第２の調整値を計算するための演算を行う第２の演算処理手段と、
前記第１の演算処理手段によって計算された前記第１の調整値に基づいて前記第１の映像特殊効果手段を制御するとともに、前記第２の演算処理手段によって計算された前記第２の調整値に基づいて前記第２の映像特殊効果手段を制御する制御手段と
を備えたことを特徴とする映像特殊効果装置。
【請求項９】
請求項８に記載の映像特殊効果装置において、
前記操作手段は、画面の四隅のうちのいずれか及び／画面の端を指定するための操作手段であり、
前記第１の演算処理手段は、前記第１の調整値として、前記第１のフォーマットの映像信号の表示画面の端との距離を示す値を計算し、
前記第２の演算処理手段は、前記第２の調整値として、前記第２のフォーマットの映像信号の表示画面の端との距離を示す値を計算する
ことを特徴とする映像特殊効果装置。
【請求項１０】
請求項９に記載の映像特殊効果装置において、
前記第１のフォーマットはＨＤ(High Definition)フォーマットであり、前記第２のフォーマットはＳＤ(Standard Definition)フォーマットであり、
前記第１の演算処理手段は、前記第１の調整値として、アスペクト比１６：９の画面の端に略等しい位置を計算し、
前記第２の演算処理手段は、前記第２の調整値として、アスペクト比４：３の画面の端から所定距離離れた位置を計算する
ことを特徴とする映像特殊効果装置。
【請求項１１】
請求項１０に記載の映像特殊効果装置において、
前記第２の演算処理手段は、計算した位置に応じて、特殊効果を施す領域のサイズを調整するための縮小率または拡大率をさらに計算し、
前記制御手段は、前記第２の演算処理手段によって計算された縮小率または拡大率に応じて、特殊効果を施す領域のサイズを調整させる制御を前記第２の映像特殊効果手段に対して行う
ことを特徴とする映像特殊効果装置。
【請求項１２】
請求項８に記載の映像特殊効果装置において、
前記第１の映像特殊効果手段，前記第２の映像特殊効果手段は、映像に字幕を重畳する処理及び／または画面の一部に別の子画面を配置する処理をそれぞれ行う
ことを特徴とする映像特殊効果装置。
【請求項１３】
画面上の位置を指定するための操作手段と、
入力する第１のフォーマットの映像信号に対して特殊効果を施す第１の映像特殊効果手段と、
入力する第２のフォーマットの映像信号に対して特殊効果を施す第２の映像特殊効果手段と
を有する映像特殊効果装置の制御方法において、
前記操作手段で指定された位置に対応して、前記第１のフォーマットの映像信号の表示画面上で特殊効果を施すべき位置に関する第１の調整値を計算するための演算を行う第１のステップと、
前記操作手段で指定された位置に対応して、前記第２のフォーマットの映像信号の表示画面上で特殊効果を施すべき位置に関する第２の調整値を計算するための演算を行う第２のステップと、
前記第１の演算処理手段によって計算された前記第１の調整値に基づいて前記第１の映像特殊効果手段を制御するとともに、前記第２の演算処理手段によって計算された前記第２の調整値に基づいて前記第２の映像特殊効果手段を制御する第３のステップと
を有することを特徴とする映像特殊効果装置の制御方法。
【発明の詳細な説明】
【技術分野】
【０００１】
本発明は、映像に特殊効果を施す映像特殊効果装置及びその制御方法に関し、特に、２種類のフォーマットの映像に対して同時に特殊効果を施す映像特殊効果装置及びその制御方法に関する。
【背景技術】
【０００２】
近年、テレビジョン放送の分野では、高解像度のＨＤ(High Definition)フォーマットによる番組制作や放送が行われるようになり、同時に従来からのＳＤ(Standard Definition)フォーマットによる放送も維持されている。このため、同じ内容の映像を、ＨＤフォーマットとＳＤフォーマットの２種類で同時に放送することが行われている。
【０００３】
一方で、番組制作時や放送時には、エフェクトスイッチャーと呼ばれる映像特殊効果装置を用いて、キーイングにより、映像に字幕を重畳したり、画面の一部に別の子画面を配置する（ピクチャー・イン・ピクチャー）ことが広く行われている。
【０００４】
従来、こうした特殊効果を施した２種類のフォーマットの映像を生成する方法としては、次の（１）または（２）の方法が用いられていた。
【０００５】
（１）図１に示すように、操作パネル１０１から１つの特殊効果回路１０２を制御する。特殊効果回路１０２には、元のフォーマット（ＨＤフォーマット，ＳＤフォーマットのうちのいずれか一方のフォーマット）の映像信号を入力させる。操作者は、特殊効果回路１０２への入力映像をモニター（図示略）で確認しながら、操作パネル１０１により、字幕を重畳したり子画面を配置する位置を、画面上の座標で指定する。そして、この操作に基づいて特殊効果回路１０２でキーイングによって特殊効果を施した映像を、そのまま出力するとともに、フォーマットコンバータ１０３でもう一方のフォーマットに変換して出力する。
【０００６】
（２）図２に示すように、操作パネル１１１から同時に２つの特殊効果回路１１２，１１３を制御する。元のフォーマット（ＨＤフォーマット，ＳＤフォーマットのうちのいずれか一方のフォーマット）の映像信号を、そのまま特殊効果回路１１２に入力させると同時に、フォーマットコンバータ１１４でもう一方のフォーマットに変換して特殊効果回路１１３に入力させる。操作者は、特殊効果回路１１２，１１３のうちのいずれか一方への入力映像をモニター（図示略）で確認しながら、操作パネル１１１により、字幕を重畳したり子画面を配置する位置を、画面上の座標で指定する。そして、この操作に基づいて特殊効果回路１１２，１１３でそれぞれキーイングによって特殊効果を施した映像を、そのまま出力する。
【０００７】
ところで、テレビジョン放送において付加価値の高い映像を放送するためには、ＨＤフォーマット，ＳＤフォーマットというそれぞれのフォーマットに応じて最適な位置に字幕を重畳したり子画面を配置することが望まれる。しかし、上記（１），（２）の方法では、ＨＤフォーマットとＳＤフォーマットとのアスペクト比の相違から、それぞれのフォーマットに応じた画面上の位置に特殊効果を施すことが困難であった。このことを、図３〜図５を用いて説明する。
【０００８】
図４は、上記（１），（２）の方法によってＨＤフォーマット，ＳＤフォーマットの映像に字幕が重畳される様子を例示する図である。
【０００９】
図４（ａ），（ｂ）は、それぞれ同じ内容のＨＤフォーマット，ＳＤフォーマットの映像を示す。ＨＤフォーマットの映像のアスペクト比は１６：９であり、ＳＤフォーマットの映像のアスペクト比は４：３である。
【００１０】
図４（ｃ），（ｄ）は、図１に示した上記（１）の方法によって字幕が重畳された状態を示す。このうち、図４（ｃ）は、図４（ａ）のＨＤフォーマットの映像を特殊効果回路１０２に入力させ、このＨＤフォーマットの映像をモニターで確認しながら、操作パネル１０１で、図３（ａ）に示すように１６：９の画面上の座標（画面中心から画面の端までの距離を１００％として画面中心からの距離を相対的に表す（したがってまた画面の端との距離を相対的に表す）値）を６７％と指定して、縦幅３３％の字幕（映像の解説文）を特殊効果回路１０２で重畳した状態を示す。画面の下端に字幕が重畳されている。
【００１１】
他方、図４（ｄ）は、図４（ｃ）の映像を、フォーマットコンバータ１０３でＳＤフォーマットに変換（映像部分の上下に余白の部分を付加する形式であるレターボックス形式で変換）した状態を示す。映像部分の上下に余白の部分が付加されたことにより、字幕の位置が上側に寄ってしまっている。したがって、ＳＤフォーマットの映像では最適な位置（ここでは、ＨＤフォーマットの映像と同じく画面の下端）に字幕を重畳できていない。
【００１２】
図４（ｅ），（ｆ）は、図２に示した上記（２）の方法によって字幕が重畳された状態を示す。このうち、図４（ｅ）は、図４（ａ）のＨＤフォーマットの映像をそのまま特殊効果回路１１２に入力させ、このＨＤフォーマットの映像をモニターで確認しながら操作パネル１１１で図３（ａ）のように１６：９の画面上の座標を６７％と指定して、縦幅３３％の字幕（映像の解説文）を特殊効果回路１１２で重畳した状態を示す。画面の下端に字幕が重畳されている。
【００１３】
他方、図４（ｆ）は、図４（ａ）のＨＤフォーマットの映像を、フォーマットコンバータ１１４で図４（ｂ）のようなＳＤフォーマットに変換（レターボックス形式で変換）して特殊効果回路１１３に入力させ、特殊効果回路１１３で字幕を重畳した状態を示す。操作パネル１１１で座標を６７％と指定したので、ＳＤフォーマットの４：３の画面上でも、図３（ｂ）に示すように座標６７％の位置に字幕が重畳される。しかし、映像部分の上下に余白の部分が付加されたことにより字幕の縦幅は３３％よりも小さくなるので、字幕の位置が上側に寄ってしまっている。したがって、ＳＤフォーマットの映像では最適な位置（ここでは、ＨＤフォーマットの映像と同じく画面の下端）に字幕を重畳できていない。
【００１４】
図５は、上記（１），（２）の方法によってＨＤフォーマット，ＳＤフォーマットの映像に子画面が配置される様子を例示する図である。
【００１５】
図５（ａ），（ｂ）は、それぞれ同じ内容のＨＤフォーマット，ＳＤフォーマットの映像を示す。
【００１６】
図５（ｃ），（ｄ）は、図１に示した上記（１）の方法によって字幕が重畳された状態を示す。このうち、図５（ｃ）は、図５（ａ）のＨＤフォーマットの映像を特殊効果回路１０２に入力させ、このＨＤフォーマットの映像をモニターで確認しながら操作パネル１０１で１６：９の画面上での座標を指定して、特殊効果回路１０２で子画面（人物の映像の画面）を配置した状態を示す。画面の上端付近に子画面が配置されている。
【００１７】
図５（ｄ）は、図５（ｃ）の映像を、フォーマットコンバータ１０３でＳＤフォーマットに変換（レターボックス形式で変換）した状態を示す。映像部分の上下に余白の部分が付加されたことにより、子画面の位置が下側に寄ってしまっている。したがって、ＳＤフォーマットの映像では最適な位置（ここでは、ＨＤフォーマットの映像と同じく画面の上端付近）に子画面を配置できていない。
【００１８】
図５（ｅ），（ｆ）は、図２に示した上記（２）の方法によって字幕が重畳された状態を示す。このうち、図５（ｅ）は、図５（ａ）のＨＤフォーマットの映像をそのまま特殊効果回路１１２に入力させ、このＨＤフォーマットの映像をモニターで確認しながら操作パネル１１１で１６：９の画面上での座標を指定して、特殊効果回路１１２で子画面（人物の映像の画面）を配置した状態を示す。画面の上端付近に子画面が配置されている。
【００１９】
図５（ｆ）は、図５（ａ）のＨＤフォーマットの映像を、フォーマットコンバータ１１４で図５（ｂ）のようなＳＤフォーマットに変換（レターボックス形式で変換）して特殊効果回路１１３に入力させ、特殊効果回路１１３で子画面（人物の映像の画面）を配置した状態を示す。ＳＤフォーマットの４：３の画面上でも、操作パネル１１１で指定したのと同じ座標の位置に子画面が配置される。しかし、映像部分の上下に余白の部分が付加されたことにより子画面の縦幅が小さくなるので、子画面の位置が下側に寄ってしまっている。したがって、ＳＤフォーマットの映像では最適な位置（ここでは、ＨＤフォーマットの映像と同じく画面の上端付近）に子画面を配置できていない。
【００２０】
このように、特殊効果を施した２種類のフォーマットの映像を生成する従来の方法では、ＨＤフォーマットの映像とＳＤフォーマットの映像とのアスペクト比の相違から、それぞれのフォーマットに応じた画面上の位置に特殊効果を施すことが困難であった。
【００２１】
ここで、図２に示した上記（２）の方法において、ＨＤフォーマットの映像とＳＤフォーマットの映像との両方を同時並行的にモニターで確認しながら、操作パネル１１１で１６：９の画面上での座標と４：３の画面上での座標とを同時並行的に別々に指定するようにすれば、それぞれのフォーマットに応じて画面上の最適な位置に特殊効果を施すことは可能になる。しかし、２つの映像を同時並行的にモニターで確認することは煩雑である。また、本出願人は画面上でのピクチャー・イン・ピクチャー等の位置を簡単な操作で指定するための発明（特許文献１参照）を提案済みであるが、この発明を用いても、１６：９の画面上での座標と４：３の画面上での座標とを同時並行的に別々に指定することはやはり煩雑である。
【００２２】
【特許文献１】特開平１１−２０５６７０号公報
【発明の開示】
【発明が解決しようとする課題】
【００２３】
本発明は、上述の点に鑑み、煩雑な操作を行うことなく、２種類のフォーマットの映像に対して、それぞれのフォーマットに応じた画面上の位置に特殊効果を施すことを課題とする。
【課題を解決するための手段】
【００２４】
この課題を解決するために、本発明に係る映像特殊効果装置は、画面上の位置を指定するための操作手段と、入力する第１のフォーマットの映像信号に対して特殊効果を施す第１の映像特殊効果手段と、入力する第２のフォーマットの映像信号に対して特殊効果を施す第２の映像特殊効果手段と、この操作手段で指定される各々の位置に対応して、この第１のフォーマットの映像信号の表示画面上で特殊効果を施すべき位置に関する第１の調整値を記憶した第１の位置調整値記憶手段と、この操作手段で指定される各々の位置に対応して、この第２のフォーマットの映像信号の表示画面上で特殊効果を施すべき位置に関する第２の調整値を記憶した第２の位置調整値記憶手段と、この操作手段で位置が指定されたことに応じて、この指定された位置に対応するこの第１の位置調整値記憶手段内のこの第１の調整値に基づいてこの第１の映像特殊効果手段を制御するとともに、この指定された位置に対応するこの第２の位置調整値記憶手段内のこの第２の調整値に基づいてこの第２の映像特殊効果手段を制御する制御手段とを備えたことを特徴とする。
【００２５】
また、本発明に係る映像特殊効果装置の制御方法は、画面上の位置を指定するための操作手段と、入力する第１のフォーマットの映像信号に対して特殊効果を施す第１の映像特殊効果手段と、入力する第２のフォーマットの映像信号に対して特殊効果を施す第２の映像特殊効果手段とを有する映像特殊効果装置の制御方法において、この操作手段で指定される各々の位置に対応して、この第１のフォーマットの映像信号の表示画面上で特殊効果を施すべき位置に関する第１の調整値を第１の位置調整値記憶手段に記憶する第１のステップと、この操作手段で指定される各々の位置に対応して、この第２のフォーマットの映像信号の表示画面上で特殊効果を施すべき位置に関する第２の調整値を第２の位置調整値記憶手段に記憶する第２のステップと、この操作手段で位置が指定されたことに応じて、この指定された位置に対応するこの第１の位置調整値記憶手段内のこの第１の調整値に基づいてこの第１の映像特殊効果手段を制御するとともに、この指定された位置に対応するこの第２の位置調整値記憶手段内のこの第２の調整値に基づいてこの第２の映像特殊効果手段を制御する第３のステップとを有することを特徴とする。
【００２６】
上記発明によれば、操作手段で指定される画面上の各位置に対応して、第１のフォーマットの映像信号の表示画面上で特殊効果を施すべき位置に関する第１の調整値と、第２のフォーマットの映像信号の表示画面上で特殊効果を施すべき位置に関する第２の調整値との、２通りの調整値がそれぞれ記憶される。そして、操作手段で画面上の或る位置が指定されると、その指定された位置に対応する第１の調整値，第２の調整値にそれぞれ基づいて第１の映像特殊効果手段，第２の映像特殊効果手段がそれぞれ制御されることにより、第１の映像特殊効果手段，第２の映像特殊効果手段にそれぞれ入力する第１のフォーマット，第２のフォーマットの映像信号に対して、それぞれのフォーマットに応じた画面上の位置に特殊効果が施される。
【００２７】
したがって、操作者が、第１のフォーマット，第２のフォーマットのうちのいずれか一方の映像をモニター等で確認しながら画面上の位置を指定する操作を一度行うだけで、第１のフォーマット，第２のフォーマットの映像に対して、自動的にそれぞれのフォーマットに応じた画面上の位置に特殊効果が施される。これにより、煩雑な操作を行うことなく、第１のフォーマット，第２のフォーマットの２種類のフォーマットの映像に対して、それぞれのフォーマットに応じた画面上の位置に特殊効果を施すことができる。
【００２８】
次に、本発明に係る別の映像特殊効果装置は、画面上の位置を指定するための操作手段と、入力する第１のフォーマットの映像信号に対して特殊効果を施す第１の映像特殊効果手段と、入力する第２のフォーマットの映像信号に対して特殊効果を施す第２の映像特殊効果手段と、この操作手段で指定された位置に対応して、この第１のフォーマットの映像信号の表示画面上で特殊効果を施すべき位置に関する第１の調整値を計算するための演算を行う第１の演算処理手段と、この操作手段で指定された位置に対応して、この第２のフォーマットの映像信号の表示画面上で特殊効果を施すべき位置に関する第２の調整値を計算するための演算を行う第２の演算処理手段と、この第１の演算処理手段によって計算されたこの第１の調整値に基づいてこの第１の映像特殊効果手段を制御するとともに、この第２の演算処理手段によって計算されたこの第２の調整値に基づいてこの第２の映像特殊効果手段を制御する制御手段とを備えたことを特徴とする。
【００２９】
また、本発明に係る別の映像特殊効果装置の制御方法は、画面上の位置を指定するための操作手段と、入力する第１のフォーマットの映像信号に対して特殊効果を施す第１の映像特殊効果手段と、入力する第２のフォーマットの映像信号に対して特殊効果を施す第２の映像特殊効果手段とを有する映像特殊効果装置の制御方法において、この操作手段で指定された位置に対応して、この第１のフォーマットの映像信号の表示画面上で特殊効果を施すべき位置に関する第１の調整値を計算するための演算を行う第１のステップと、この操作手段で指定された位置に対応して、この第２のフォーマットの映像信号の表示画面上で特殊効果を施すべき位置に関する第２の調整値を計算するための演算を行う第２のステップと、この第１の演算処理手段によって計算されたこの第１の調整値に基づいてこの第１の映像特殊効果手段を制御するとともに、この第２の演算処理手段によって計算されたこの第２の調整値に基づいてこの第２の映像特殊効果手段を制御する第３のステップとを有することを特徴とする。
【００３０】
上記発明によれば、操作手段で画面上の或る位置が指定されると、その指定された位置に対応して第１のフォーマットの映像信号の表示画面上で特殊効果を施すべき位置に関する第１の調整値を計算するための第１の演算処理と、その指定された位置に対応して第２のフォーマットの映像信号の表示画面上で特殊効果を施すべき位置に関する第２の調整値を計算するための第２の演算処理との、２通りの演算処理が実行される。そして、第１の演算処理，第２の演算処理によってそれぞれ計算した第１の調整値，第２の調整値に基づいて特殊効果を施すように第１の映像特殊効果手段，第２の映像特殊効果手段がそれぞれ制御されることにより、第１の映像特殊効果手段，第２の映像特殊効果手段にそれぞれ入力する第１のフォーマット，第２のフォーマットの映像信号に対して、それぞれのフォーマットに応じた画面上の位置に特殊効果が施される。
【００３１】
したがって、操作者が、第１のフォーマット，第２のフォーマットのうちのいずれか一方の映像をモニター等で確認しながら画面上の位置を指定する操作を一度行うだけで、第１のフォーマット，第２のフォーマットの映像に対して、自動的にそれぞれのフォーマットに応じた画面上の位置に特殊効果が施される。これにより、煩雑な操作を行うことなく、第１のフォーマット，第２のフォーマットの２種類のフォーマットの映像に対して、それぞれのフォーマットに応じた画面上の位置に特殊効果を施すことができる。
【発明の効果】
【００３２】
本発明によれば、煩雑な操作を行うことなく、２種類のフォーマットの映像に対して、それぞれのフォーマットに応じた画面上の位置に特殊効果を施すことができるという効果が得られる。
【発明を実施するための最良の形態】
【００３３】
次に、本発明の実施形態を、図面を用いて説明する。図６は、本発明を適用したエフェクトスイッチャーの全体構成例を示す図である。このエフェクトスイッチャーでは、主ユニット１と操作パネル２とが、例えばＬＡＮ（ローカルエリアネットワーク）のような通信路３で接続されている。
【００３４】
主ユニット１には、それぞれビデオカメラやＶＴＲ等から映像信号を入力するための入力ライン４（１）〜４（９）と、２組のミックス／エフェクトバンク（以下単にバンクと呼ぶ）５及び６と、フォーマットコンバータ７及び８と、主ユニット１内の各部を制御するマイクロコンピュータ１７とが設けられている。
【００３５】
このエフェクトスイッチャーに入力する映像には、アスペクト比１６：９のＨＤフォーマットの映像とアスペクト比４：３のＳＤフォーマットの映像との両方が存在するが、各入力ライン４（１）〜４（９）にそれぞれどちらのフォーマットの映像を入力させるかは、予めエフェクトスイッチャーのセットアップ時に設定されている。
【００３６】
バンク５には、入力ライン４（１）〜４（９）の映像が、フォーマットコンバータ７を介して送られる。フォーマットコンバータ７は、入力ライン４（１）〜４（９）の映像のうち、ＳＤフォーマットの映像はアスペクト比１６：９のＨＤフォーマットにフォーマット変換して出力し、ＨＤフォーマットの映像はフォーマット変換することなくそのまま出力する。したがって、フォーマットコンバータ７からはアスペクト比１６：９のＨＤフォーマットの映像のみが出力するので、バンク５にはアスペクト比１６：９のＨＤフォーマットの映像のみが送られる。
【００３７】
バンク５には、キー映像選択スイッチ９と、背景映像選択スイッチ１０と、特殊効果回路１１とが設けられている。背景映像選択スイッチ１０は、入力ライン４（１）〜４（９）の映像から、背景映像を選択するためのスイッチである。キー映像選択スイッチ９は、入力ライン４（１）〜４（９）の映像から、キーイングのために用いる映像を選択するためのスイッチであり、キーフィル信号（背景映像に前景として重ねる字幕や子画面の映像自体）を選択するスイッチ９ａと、キーソース信号（キーフィル信号を重ねる領域や、背景映像を切り抜く形状や、背景映像に対するキーフィル信号の濃度を指定する映像）を選択するスイッチ９ｂとで構成されている。
【００３８】
特殊効果回路１１は、背景映像選択スイッチ１０で選択された背景映像に対して、背景映像選択スイッチ９で選択された映像を用いたキーイングにより、字幕の重畳やピクチャー・イン・ピクチャーといった特殊効果を施す回路である。特殊効果回路１１で特殊効果を施されたＨＤフォーマット映像信号は、出力ライン１５から主ユニット１の外部に出力される。
【００３９】
バンク６には、入力ライン４（１）〜４（９）の映像が、フォーマットコンバータ７とフォーマットコンバータ８との両方を介して送られる。前述のようにフォーマットコンバータ７からはアスペクト比１６：９のＨＤフォーマットの映像のみが出力されるが、フォーマットコンバータ８は、フォーマットコンバータ７からの映像を全てアスペクト比４：３のＳＤフォーマットにフォーマット変換して出力する。したがって、バンク６にはアスペクト比４：３のＳＤフォーマットの映像のみが送られる。なお、別の例として、外部から入力ライン４（１）〜４（９）に供給される映像を、フォーマットコンバータ８のみを経由してバンク６に送り、そのうちのＨＤフォーマットの映像のみをフォーマットコンバータ８でＳＤフォーマットに変換するようにしても、やはりアスペクト比４：３のＳＤフォーマットの映像のみをバンク６に送ることができる。
【００４０】
バンク５の構成はバンク６と共通しており、キー映像選択スイッチ１２と、背景映像選択スイッチ１３と、特殊効果回路１４とが設けられている。特殊効果回路１４で特殊効果を施されたＳＤフォーマット映像信号は、出力ライン１６から主ユニット１の外部に出力される。
【００４１】
操作パネル２には、ボタン配置部２１及びパラメータ入力操作部２２がパネル面上に設けられるとともに、マイクロコンピュータ２３が設けられている。
【００４２】
ボタン配置部２１には、主ユニット１の各バンク５，６のキー映像選択スイッチ９，１２を制御するためのキー選択操作部２１ａと、主ユニット１の各バンク５，６の背景映像選択スイッチ１０，１３を制御するための背景選択操作部２１ｂとが配置されている。
【００４３】
パラメータ入力操作部２２は、主ユニット１の各バンク５，６の特殊効果回路１１，１４を制御するための各種のパラメータを、ＧＵＩ（グラフィカルユーザインタフェース）や回転ダイヤル等によって入力するための操作部である。パラメータ入力操作部２２で入力されるパラメータには、背景映像の画面上で特殊効果を施す位置（字幕の重畳や子画面の配置を行う位置）に関するパラメータや、字幕や子画面の縮小率を指定するパラメータ等が存在する。
【００４４】
本発明の特徴として、パラメータ入力操作部２２では、背景映像の画面上で特殊効果を施す位置に関するパラメータとしては、図３（ａ），（ｂ）に示したような座標ではなく、画面の四隅（左上隅，右上隅，左下隅，右下隅）や端（上端，下端，左端，右端）のうちのいずれかを指定するパラメータや、操作者の感性による画面構成を目的として予め設定したパラメータを入力するようになっている。
【００４５】
また、パラメータ入力操作部２２で入力されるパラメータには、ＨＤフォーマットとＳＤフォーマットとで共通の項目と、ＨＤフォーマットとＳＤフォーマットとで共通ではない項目とが存在しており、いずれの項目のパラメータが入力されたかは、パラメータの種類によって判別可能になっている。特殊効果を施す位置に関するパラメータは、ＨＤフォーマットとＳＤフォーマットとで共通ではない項目である。
【００４６】
マイクロコンピュータ２３は、ボタン配置部２１やパラメータ入力操作部２２の操作に応じて、ボタン配置部２１やパラメータ入力操作部２２の制御（例えば、操作された押しボタンに内蔵されているＬＥＤを点灯させる制御等）を行うとともに、操作内容を示す信号を操作パネル２から通信路３を介して主ユニット１のマイクロコンピュータ１７に送る。
【００４７】
主ユニット１のマイクロコンピュータ１７は、この操作パネル２のマイクロコンピュータ２３からの信号に基づいて主ユニット１内の各部を制御するが、本発明の特徴として、内部のメモリ１８に、第１の位置調整値記憶部１９の領域と第２の位置調整値記憶部２０の領域とを設けている。
【００４８】
これらの位置調整値記憶部１９，２０には、パラメータ入力操作部２２で入力されるパラメータのうち、ＨＤフォーマットとＳＤフォーマットとで共通ではない項目のパラメータに対応して、ＨＤのフォーマット用の第１の調整値，ＳＤのフォーマット用の第２の調整値がそれぞれ記憶されている。
【００４９】
図７は、同じパラメータに対応した位置調整値記憶部１９，２０の記憶内容の一部を例示する図である。パラメータ１〜パラメータ４は、それぞれＨＤフォーマットとＳＤフォーマットとで共通ではない項目のパラメータであり、各パラメータ１〜パラメータ４に対応して、第１の調整値，第２の調整値がそれぞれ位置調整値記憶部１９，位置調整値記憶部２０に記憶されている。
【００５０】
このうち、パラメータ１は、特殊効果を施す位置として画面の下端を指定するパラメータである。このパラメータ１に対応する第１の調整値６７は、ＨＤフォーマットの映像の１６：９の画面の下隅に縦幅３３％の字幕を重畳したり縦幅３３％の子画面を配置する場合の画面中心から画面下端方向への距離（図３（ａ）に示した座標）である。
【００５１】
また、このパラメータ１に対応する第２の調整値７５は、ＨＤフォーマットの映像をＳＤフォーマットに変換（レターボックス形式で変換）した映像の４：３の画面の下隅に同じ字幕を重畳したり同じ子画面を配置する場合の画面中心から画面下端方向への距離（図３（ｂ）に示した座標）である。１６：９の画面において縦幅３３％の字幕や子画面は、レターボックス形式の４：３の画面では、映像部分の上下に余白の部分が付加されたことにより、縦幅が３３×｛（４／３）／（１６／９）｝≒２５％に小さくなる。そこで、この縦幅２５％に対応させて、第２の調整値を７５としている。
【００５２】
図７には省略しているが、位置調整値記憶部１９，２０には、パラメータ１に対応して、１６：９の画面での縦幅が３３％以外の大きさの字幕や子画面についての第１の調整値，第２の調整値もそれぞれ記憶されている。同様に、画面の四隅のうちのいずれかや上端や左端や右端を指定するパラメータについても、字幕や子画面のサイズ（縦幅や横幅）の大きさに応じて、複数通りの第１の調整値，第２の調整値がそれぞれ対応して記憶されている。
【００５３】
パラメータ２〜パラメータ４は、操作者の感性による画面構成を目的として予め設定したパラメータである。これらのパラメータ２〜パラメータ４に対応する第１の調整値，第２の調整値は、それぞれ１６：９の画面，４：３の画面に妥当な値として操作者によって設定された値である。
【００５４】
図８は、マイクロコンピュータ１７が、パラメータ入力操作部２２の操作時（操作パネル２のマイクロコンピュータ２３から、パラメータ入力操作部２２の操作内容を示す信号が送られたとき）に実行する処理を示すフローチャートである。この処理では、最初に、パラメータ入力操作部２２で入力されたパラメータの種類Ｋを示す情報を取得する（ステップＳ１）。
【００５５】
続いて、この種類Ｋのパラメータが、ＨＤフォーマットとＳＤフォーマットとで共通な項目であるか否かを判断する（ステップＳ２）。ノーであれば、位置調整値記憶部１９から、種類Ｋのパラメータに対応する第１の調整値ｐ１を読み出す（ステップＳ３）。なお、前述のように、画面の四隅や端のうちのいずれかを指定するパラメータには、字幕や子画面のサイズ（縦幅または横幅）に応じて複数通りの第１の調整値が対応して記憶されているが、その場合には、ステップＳ３では、操作パネル２のボタン配置部２１のキー選択操作部２１ａで選択された字幕や子画面のサイズ（パラメータ入力操作部２２で字幕や子画面を縮小するパラメータが入力された場合にはその縮小率を乗じたサイズ）に応じた第１の調整値ｐ１を読み出す。例えば、種類Ｋが画面の下隅を指定するパラメータであり、１６：９の画面での字幕や子画面のサイズが３３％であれば、図７の第１の調整値６７をｐ１として読み出す。
【００５６】
そして、この調整値ｐ１に基づく位置（例えば、調整値ｐ１が図７の６７であれば、１６：９の画面の下端）に字幕を重畳したり子画面を配置するように特殊効果回路１１を制御する（ステップＳ４）。
【００５７】
続いて、位置調整値記憶部２０から、種類Ｋのパラメータに対応する第２の調整値ｐ２を読み出す（ステップＳ５）。ステップＳ５でも、画面の四隅や端のうちのいずれかを指定するパラメータの場合には、キー選択操作部２１ａで選択された字幕や子画面のサイズ（パラメータ入力操作部２２で字幕や子画面を縮小するパラメータが入力された場合にはその縮小率を乗じたサイズ）に応じた第２の調整値ｐ２を読み出す。例えば、種類Ｋが画面の下隅を指定するパラメータであり、１６：９の画面での字幕や子画面のサイズが３３％であれば、図７の第２の調整値７５をｐ２として読み出す。
【００５８】
そして、この調整値ｐ２に基づく位置（例えば、調整値ｐ２が図７の７５であれば、４：３の画面の下端）に字幕を重畳したり子画面を配置するように特殊効果回路１４を制御する（ステップＳ６）。そして処理を終了する。
【００５９】
ステップＳ２でイエスであれば、種類Ｋのパラメータによって特殊効果回路１１，１４をそれぞれ制御して（ステップＳ７，Ｓ８）、処理を終了する。
【００６０】
次に、このエフェクトスイッチャーにおいて、バンク５の背景映像選択スイッチ１０とバンク６の背景映像選択スイッチ１３とで同じ入力ラインを選択するとともに、バンク５のキー映像選択スイッチ９とバンク６のキー映像選択スイッチ１２とで同じ入力ラインの映像を選択して、特殊効果回路１１と特殊効果回路１４とで同時に特殊効果を施す様子について説明する。
【００６１】
図９は、図４（ａ），（ｂ）に示したのと同じ背景映像に、図４（ｃ），（ｄ）や図４（ｅ），（ｆ）に示したのと同じ字幕（映像の解説文）を重畳する様子を示す図である。
【００６２】
図９（ａ），（ｂ）は、それぞれ背景映像選択スイッチ１０，背景映像選択スイッチ１３から特殊効果回路１１，特殊効果回路１４に送られるＨＤフォーマットの背景映像，ＳＤフォーマットの背景映像（ＨＤフォーマットの背景映像をフォーマットコンバータ８によりレターボックス形式でＳＤフォーマットに変換したもの）を示しており、図４（ａ），（ｂ）に示したのと同じものである。
【００６３】
操作者が、モニター等でこのＨＤフォーマット，ＳＤフォーマットの背景映像のうちのいずれか一方を確認しながら、操作パネル２のパラメータ入力操作部２２で、特殊効果を施す位置に関するパラメータとして画面の下隅を指定するパラメータを入力すると、図９（ａ）のＨＤフォーマットの背景映像には、図８に示したマイクロコンピュータ１７の処理のステップＳ１〜Ｓ４に基づき、特殊効果回路１１により、図９（ｃ）に示すように１６：９の画面の下端に字幕（映像の解説文）が重畳される。
【００６４】
また、図９（ｂ）のＳＤフォーマットの背景映像には、図８に示したマイクロコンピュータ１７の処理のステップＳ５〜Ｓ６に基づき、特殊効果回路１４により、図９（ｄ）に示すように４：３の画面の下端に同じ字幕が重畳される。
【００６５】
このようにして、ＨＤフォーマット，ＳＤフォーマットの２種類のフォーマットの背景映像に対して、それぞれのフォーマットに応じた最適の位置（ここでは共に画面の下端）に字幕が重畳される。
【００６６】
図１０は、図５（ａ），（ｂ）に示したのと同じ背景映像に、図５（ｃ），（ｄ）や図５（ｅ），（ｆ）に示したのと同じ子画面（人物の映像）を配置する様子を示す図である。
【００６７】
図１０（ａ），（ｂ）は、それぞれ特殊効果回路１１，特殊効果回路１４に送られるＨＤフォーマットの背景映像，ＳＤフォーマットの背景映像（ＨＤフォーマットの背景映像をフォーマットコンバータ８によりレターボックス形式でＳＤフォーマットに変換したもの）を示しており、図５（ａ），（ｂ）に示したのと同じものである。
【００６８】
操作者が、モニター等でこのＨＤフォーマット，ＳＤフォーマットの背景映像のうちのいずれか一方を確認しながら、操作パネル２のパラメータ入力操作部２２で、特殊効果を施す位置に関するパラメータとして画面の上隅を指定するパラメータを入力すると、図１０（ａ）のＨＤフォーマットの背景映像には、図８に示したマイクロコンピュータ１７の処理のステップＳ１〜Ｓ４に基づき、特殊効果回路１１により、図１０（ｃ）に示すように画面の上端付近に子画面が配置される。
【００６９】
また、図１０（ｂ）のＳＤフォーマットの背景映像には、図８に示したマイクロコンピュータ１７の処理のステップＳ５〜Ｓ６に基づき、特殊効果回路１４により、図１０（ｄ）に示すように画面の上端付近に子画面が配置される。
【００７０】
このようにして、ＨＤフォーマット，ＳＤフォーマットの２種類のフォーマットの背景映像に対して、それぞれのフォーマットに応じた最適の位置（ここでは共に画面の上端付近）に子画面が配置される。
【００７１】
このように、このエフェクトスイッチャーでは、操作者が、ＨＤフォーマット，ＳＤフォーマットの背景映像のうちのいずれか一方をモニター等で確認しながら画面上の位置を指定する操作を一度行うだけで、ＨＤフォーマット，ＳＤフォーマットの背景映像に対して、自動的にそれぞれのフォーマットに応じて最適な位置に字幕が重畳されたり子画面が配置される。これにより、煩雑な操作を行うことなく、ＨＤフォーマット，ＳＤフォーマットの２種類のフォーマットの映像に対して、それぞれのフォーマットに応じた最適な画面上の位置に特殊効果を施して、付加価値の高い映像を放送することができる。
【００７２】
なお、ここでは、図９（ｃ），（ｄ）や図１０（ｃ），（ｄ）に示したように、ＨＤフォーマットの背景映像に字幕を重畳したり子画面を配置する際の最適な位置と、ＳＤフォーマットの背景映像に字幕を重畳したり子画面を配置する際の最適な位置とが同じである（共に画面の下端や画面の上端付近である）として説明を行った。これに対し、ＨＤフォーマットの背景映像に字幕を重畳したり子画面を配置する際の最適な位置と、ＳＤフォーマットの背景映像に字幕を重畳したり子画面を配置する際の最適な位置とが別である場合にも、それに応じて、位置調整値記憶部１９，２０に同じパラメータに対応して記憶する第１の調整値，第２の調整値を決定すれば（例えば、図７においてパラメータ１に対応する第２の調整値を７５以外の値に決定すれば）、やはり、ＨＤフォーマット，ＳＤフォーマットの２種類のフォーマットの映像に対して、それぞれのフォーマットに応じた最適な画面上の位置に特殊効果を施すことができる。
【００７３】
また、ここでは、図７でパラメータ１について示したように、位置調整値記憶部１９，２０に、画面の四隅や端のうちのいずれかを指定するパラメータに対応して、図３（ａ），（ｂ）に示した座標を第１の調整値，第２の調整値として記憶している。しかし、別の例として、画面の四隅や端のうちのいずれかを指定するパラメータに対応して、ＨＤフォーマットの１６：９の画面の端からのマージン値を第１の調整値として位置調整値記憶部１９に記憶するとともに、ＳＤフォーマットの４：３の画面の端からのマージン値を第２の調整値として位置調整値記憶部２０に記憶し、図８の処理のステップＳ４，Ｓ６では、画面の端との距離がそれぞれこのフォーマット毎のマージン値となるような画面上の座標を計算して、その座標の位置に字幕を重畳したり子画面を配置するように特殊効果回路１１，１４を制御するようにしてもよい。
【００７４】
あるいはまた、こうしたマージン値に代えて、図１１に例示するように、画面の四隅や端のうちのいずれかを指定するパラメータ（ここでは、右上隅を指定するパラメータと、左上隅を指定するパラメータ）に対応して、ＨＤフォーマットの１６：９の画面の端から或るマージンを持った座標（ｘ，ｙ）（図３（ａ）のような％の値による横方向，縦方向の座標）を直接指定する固定値を第１の調整値として位置調整値記憶部１９に記憶するとともに、ＳＤフォーマットの４：３の画面の端から或るマージンを持った座標（ｘ，ｙ）（図３（ｂ）のような％の値による横方向，縦方向の座標）を直接指定する固定値を第２の調整値として位置調整値記憶部２０に記憶し、図８の処理のステップＳ４，Ｓ６では、位置の計算を行うことなく、このフォーマット毎の固定値の位置に字幕を重畳したり子画面を配置するように特殊効果回路１１，１４を制御してもよい。
【００７５】
また、ここでは、図７を用いて説明したように、画面上の１つの位置（パラメータ１では画面の下隅）を規定する座標を、第１の調整値，第２の調整値として位置調整値記憶部１９，２０に記憶している。しかし、別の例として、特殊効果を施す領域（字幕を重畳したり子画面を配置する領域）の左右両端または上下両端の位置や、さらには特殊効果を施す領域の上下左右の全ての端の位置を規定する座標を、位置調整値記憶部１９，２０に第１の調整値，第２の調整値として記憶するようにしてもよい。
【００７６】
そして、このように特殊効果を施す領域の２以上の端の位置を規定することにより、間接的に画面上で特殊効果を施す領域のサイズ（字幕や子画面のサイズ）を決定することになるので、図８の処理のステップＳ４やＳ６では、その決定されるサイズに応じて、操作パネル２のボタン配置部２１のキー選択操作部２１ａで選択された字幕や子画面のサイズを調整する（例えば、調整値によって決定されるサイズよりも、選択された字幕や子画面のサイズのほうが大きい場合には、選択された字幕や子画面のサイズを、調整値によって決定されるサイズに一致させるように縮小する）ような制御も特殊効果回路１１に対して行うことが望ましい。
【００７７】
あるいはまた、特殊効果を施す領域のサイズを直接示す情報も第１の調整値，第２の調整値として位置調整値記憶部１９，２０に記憶し、図８の処理のステップＳ４やＳ６では、その情報に基づき、操作パネル２のボタン配置部２１のキー選択操作部２１ａで選択された字幕や子画面のサイズを調整するように特殊効果回路１１を制御してもよい。
【００７８】
次に、図１２は、本発明を適用したエフェクトスイッチャーの別の全体構成例を示す図であり、図６と共通する部分には同一符号を付して重複説明を省略する。このエフェクトスイッチャーでは、マイクロコンピュータ１７内のメモリ１８に、図７に示した位置調整値記憶部１９，２０の領域の代わりに、第１の演算プログラム記憶部３１と、第２の演算プログラム記憶部３２の領域を設けている。それ以外のハードウェア構成は、図６のエフェクトスイッチャーと同じである。
【００７９】
演算プログラム記憶部３１には、特殊効果を施す位置に関するパラメータがパラメータ入力操作部２２で入力されたときに、１６：９の画面上で字幕を重畳したり子画面を配置する位置に関する第１の調整値を計算するための第１のサブルーチンが記憶されている。
【００８０】
演算プログラム記憶部３２には、特殊効果を施す位置に関するパラメータがパラメータ入力操作部２２で入力されたときに、４：３の画面上で字幕を重畳したり子画面を配置する位置に関する第２の調整値を計算するための第２のサブルーチンが記憶されている。
【００８１】
第１のサブルーチンと第２のサブルーチンとは、例えば次の点で相違している。アスペクト比４：３のＳＤフォーマットの規格制定当時には映像表示手段として一般にＣＲＴが使用されていたが、ＣＲＴには画面の上下左右の端の部分に映像を表示しきれないという特性がある。そのため、ＳＤフォーマットの映像を表示する際には、図１３に示すように、４：３の画面５１の端を除いた領域をセーフティエリアＳと定め、必須の映像要素はこのセーフティエリアＳの中に収まるようにすることが望ましい。
【００８２】
したがって、ＨＤフォーマットの映像を表示する際には画面の端に字幕を重畳したり子画面を配置する場合でも、ＳＤフォーマットの映像を表示する際には画面の端を避けて字幕を重畳したり子画面を配置することが望ましい。そこで、第２のサブルーチンでは、このセーフティエリア内の座標を計算するようになっているが、第１のサブルーチンでは、こうしたセーフティエリアを考慮することなく座標を計算するようになっている。
【００８３】
図１４は、画面の左隅または右隅を指定するパラメータが入力され、字幕や子画面の横幅がｗ％である場合の、第１のサブルーチン，第２のサブルーチンの計算内容を例示する図である。第１のサブルーチンでは、画面横方向の座標ｘ（図３（ａ）に示したような座標）を１００−ｗ％（すなわち字幕や子画面が画面の左端または右端一杯に位置する座標）にするとともに、画面縦方向の字幕や子画面の長さを２００％（すなわち字幕や子画面が画面の下端から上端にかけて一杯に位置する長さ）にしている。
【００８４】
これに対し、第２のサブルーチンでは、画面の左右の端とセーフティエリアとの距離をｄ％として、画面横方向の座標ｘ（図３（ｂ）に示したような座標）を１００−ｗ−ｄ％（すなわち字幕や子画面がセーフティエリアの左端または右端一杯に位置する座標）にしている。また、画面の上下の端とセーフティエリアとの距離をｈ％として、画面縦方向の字幕や子画面の長さを２００−（２×ｈ）％（すなわち字幕や子画面がセーフティエリアの下端から上端にかけて一杯に位置する長さ）にしている。また、元の字幕や子画面の縦方向のサイズのままではこの２００−（２×ｈ）％の長さと一致しない場合には、２００−（２×ｈ）％の長さと一致させるように縦方向のサイズを調整するための縮小率や拡大率も計算するようになっている。
【００８５】
なお、図１４に示した計算式はあくまで一例であり、特殊効果を施す位置に関するパラメータの種類に応じた計算式を第１のサブルーチン，第２のサブルーチンに組み込めばよい。また、セーフティエリア以外の要素を考慮して第１のサブルーチンと第２のサブルーチンとに異なる計算式をに組み込むようにしてもよい。
【００８６】
図１５は、この図１２のエフェクトスイッチャーにおいて、マイクロコンピュータ１７がパラメータ入力操作部２２の操作時（操作パネル２のマイクロコンピュータ２３から、パラメータ入力操作部２２の操作内容を示す信号が送られたとき）に実行する処理を示すフローチャートである。この処理では、最初に、パラメータ入力操作部２２で入力されたパラメータの種類Ｋを示す情報を取得する（ステップＳ１１）。
【００８７】
続いて、この種類Ｋのパラメータが、ＨＤフォーマットとＳＤフォーマットとで共通な項目であるか否かを判断する（ステップＳ１２）。ノーであれば、演算プログラム記憶部３１から、種類Ｋのパラメータに対応する第１のサブルーチンを呼び出し、そのサブルーチンによって第１の調整値ｐ１を計算する（ステップＳ１３）。
【００８８】
そして、この調整値ｐ１に基づく位置（例えば、調整値ｐ１が図１４のｘ＝１００−ｗ％，ｙ＝２００％であれば、画面の左端または右端一杯であり且つ画面の下端から上端にかけて一杯の位置）に字幕を重畳したり子画面を配置するように特殊効果回路１１を制御する（ステップＳ１４）。
【００８９】
続いて、演算プログラム記憶部３２から、種類Ｋのパラメータに対応する第２のサブルーチンを呼び出し、そのサブルーチンによって第２の調整値ｐ２を（必要な場合にはサイズの縮小率や拡大率も）計算する（ステップＳ１５）。
【００９０】
続いて、この第２の調整値ｐ２に基づく位置（例えば、調整値ｐ２が図１４のｘ＝１００−ｗ−ｄ％，ｙ＝２００−（２×ｈ）％であれば、セーフティエリアの左端または右端一杯であり且つセーフティエリアの下端から上端にかけて一杯の位置）に字幕を重畳したり子画面を配置するように特殊効果回路１４を制御する（ステップＳ１６）。そして処理を終了する。
【００９１】
ステップＳ１２でイエスであれば、種類Ｋのパラメータによって特殊効果回路１１，１４をそれぞれ制御して（ステップＳ１７，Ｓ１８）、処理を終了する。なお、ステップＳ１３やＳ１５で計算に使うパラメータｗは、パラメータ入力操作部２２から入力される（ステップＳ１１で取り込まれる）ようにしてもよいし、別の記憶領域に（字幕の入力ラインに対応して）記憶しておくようにしてもよい。
【００９２】
次に、この図１２のエフェクトスイッチャーにおいて、バンク５の背景映像選択スイッチ１０とバンクの背景映像選択スイッチ１３とで同じ入力ラインを選択するとともに、バンク５のキー映像選択スイッチ９とバンク６のキー映像選択スイッチ１２とで同じ入力ラインの映像を選択して、特殊効果回路１１と特殊効果回路１４とで同時に特殊効果を施す様子について説明する。
【００９３】
図１６は、第１のサブルーチン，第２のサブルーチンが図１４に示した計算式である場合に、ＨＤフォーマット，ＳＤフォーマットの背景映像に、それぞれ縦の字幕を重畳する様子を示す図である。図１６（ａ），（ｂ）は、それぞれ背景映像選択スイッチ１０，背景映像選択スイッチ１３から特殊効果回路１１，特殊効果回路１４に送られるＨＤフォーマットの背景映像，ＳＤフォーマットの背景映像（ＨＤフォーマットの背景映像をフォーマットコンバータ８によりレターボックス形式でＳＤフォーマットに変換したもの）を示している。
【００９４】
操作者が、モニター等でこのＨＤフォーマット，ＳＤフォーマットの背景映像のうちのいずれか一方を確認しながら、操作パネル２のパラメータ入力操作部２２で、特殊効果を施す位置に関するパラメータとして画面の右隅を指定するパラメータを入力すると、図１６（ａ）のＨＤフォーマットの背景映像には、図１５に示したマイクロコンピュータ１７の処理のステップＳ１１〜Ｓ１４に基づき、特殊効果回路１１により、図１６（ｇ）に示すように縦の字幕（縦の文字列）が１６：９の画面の右端一杯且つ画面の下端から上端にかけて一杯の位置に重畳される。
【００９５】
また、図１６（ｂ）のＳＤフォーマットの背景映像には、図１５に示したマイクロコンピュータ１７の処理のステップＳ１５〜Ｓ１６に基づき、特殊効果回路１４により、図１６（ｈ）に示すように同じ字幕（但し縦方向のサイズを調整したもの）が４：３の画面のセーフティエリアＳの右端一杯且つセーフティエリアＳの下端から上端にかけて一杯の位置に重畳される。
【００９６】
このようにして、ＨＤフォーマット，ＳＤフォーマットの２種類のフォーマットの背景映像に対して、それぞれのフォーマットに応じた最適の位置（ここでは、ＨＤフォーマットでは表示領域を一杯に活かした位置、ＳＤフォーマットではセーフティエリアを考慮しつつ有効な表示領域を一杯に活かした位置）に字幕が重畳される。
【００９７】
図１６（ｃ），（ｄ）は、図１に示した従来の方法によって同じ字幕をＨＤフォーマット，ＳＤフォーマットの背景映像に重畳した状態を対比させて示している。また、図１６（ｅ），（ｆ）は、図２に示した従来の方法によって同じ字幕をＨＤフォーマット，ＳＤフォーマットの背景映像に重畳した状態を対比させて示している。図１６（ｄ）では、４：３の画面の右端（図１３に示したセーフティエリアの外）に字幕が重畳されてしまっている。また、図１６（ｆ）では、４：３の画面の右端や上端や下端（セーフティエリアＳの外）に字幕が重畳されてしまっている。したがって、いずれも、ＳＤフォーマットの映像ではセーフティエリアを考慮した最適な位置に字幕を重畳できていない。
【００９８】
図１７は、ＨＤフォーマット，ＳＤフォーマットの背景映像に、それぞれ子画面を配置する様子を示す図である（第１のサブルーチン，第２のサブルーチンは、図１４に示した計算式とは異なっている）。図１７（ａ），（ｂ）は、それぞれ背景映像選択スイッチ１０，背景映像選択スイッチ１３から特殊効果回路１１，特殊効果回路１４に送られるＨＤフォーマットの背景映像，ＳＤフォーマットの背景映像（ここでは、ＨＤフォーマットの背景映像をフォーマットコンバータ８により画面の左右部分をカットする形式でＳＤフォーマットに変換したもの）を示している。
【００９９】
操作者が、モニター等でこのＨＤフォーマット，ＳＤフォーマットの背景映像のうちのいずれか一方を確認しながら、操作パネル２のパラメータ入力操作部２２で、特殊効果を施す位置に関するパラメータとして画面の左上隅を指定するパラメータを入力すると、図１７（ａ）のＨＤフォーマットの背景映像には、図１５に示したマイクロコンピュータ１７の処理のステップＳ１１〜Ｓ１４に基づき、特殊効果回路１１により、図１７（ｇ）に示すように子画面（人物の映像）が１６：９の画面のほぼ左上隅に配置される。
【０１００】
また、図１７（ｂ）のＳＤフォーマットの背景映像には、図１５に示したマイクロコンピュータ１７の処理のステップＳ１５〜Ｓ１６に基づき、特殊効果回路１４により、図１７（ｈ）に示すように同じ子画面（但し横方向及び縦方向のサイズを縮小したもの）が４：３の画面のセーフティエリアＳの左上隅に配置される。
【０１０１】
このようにして、ＨＤフォーマット，ＳＤフォーマットの２種類のフォーマットの背景映像に対して、それぞれのフォーマットに応じた最適の位置（ここでは、ＨＤフォーマットでは表示領域をほぼ一杯に活かした位置、ＳＤフォーマットではセーフティエリアを考慮しつつ有効な表示領域を一杯に活かした位置）に子画面が配置される。
【０１０２】
図１７（ｃ），（ｄ）は、図１に示した従来の方法によって同じ子画面をＨＤフォーマット，ＳＤフォーマットの背景映像に配置した状態を対比させて示している。また、図１７（ｅ），（ｆ）は、図２に示した従来の方法によって同じ子画面をＨＤフォーマット，ＳＤフォーマットの背景映像に配置した状態を対比させて示している。図１７（ｄ）では、子画面の一部が切れてしまっているとともに、４：３の画面の左端（セーフティエリアＳの外）に字幕が重畳されてしまっている。また、図１７（ｆ）では、４：３の画面の上端や左端（セーフティエリアＳの外）に字幕が重畳されてしまっている。したがって、いずれも、ＳＤフォーマットの映像では最適な位置に字幕を重畳できていない。
【０１０３】
このように、この図１２のエフェクトスイッチャーでも、操作者が、ＨＤフォーマット，ＳＤフォーマットの背景映像のうちのいずれか一方をモニター等で確認しながら画面上の位置を指定する操作を一度行うだけで、ＨＤフォーマット，ＳＤフォーマットの背景映像に対して、自動的にそれぞれのフォーマットに応じて最適な位置に字幕が重畳されたり子画面が配置される。これにより、煩雑な操作を行うことなく、ＨＤフォーマット，ＳＤフォーマットの２種類のフォーマットの映像に対して、それぞれのフォーマットに応じた最適な画面上の位置に特殊効果を施して、付加価値の高い映像を放送することができる。なお、ＨＤフォーマットについても、セーフティエリアを定義して、ＨＤフォーマット用の計算式で制御することは、もちろん可能である。このように、図１２のエフェクトスイッチャーでは、単に調整値をフォーマット毎に記憶する場合よりも、フォーマット毎により一層複雑な制御を行うことができる。
【０１０４】
なお、ここでは、マイクロコンピュータ１７内のメモリ１８に演算プログラム記憶部３１，３２の領域を設け、マイクロコンピュータ１７がこれらの演算プログラム記憶部３１，３２内のサブルーチンを呼び出すことによって第１の調整値，第２の調整値を計算している。しかし、別の例として、この第１の調整値，第２の調整値をそれぞれ計算するための専用の演算回路を設け、その演算回路の計算結果に基づいてマイクロコンピュータ１７が特殊効果回路１１，１４を制御するようにしてもよい。
【０１０５】
また、以上の例では背景映像に対して字幕を重畳したり子画面を配置するために本発明を適用しているが、本発明は、それ以外の特殊効果を背景映像の一部の領域に施す場合にも適用してよい。
【０１０６】
また、以上の例ではエフェクトスイッチャーに本発明を適用しているが、本発明は、エフェクトスイッチャー以外の装置であって、２種類のフォーマットの映像に対して同時に特殊効果を施すものにも適用してよい。
【０１０７】
また、本発明は、３種類以上のフォーマットの映像に対して同時に特殊効果を施す場合にも拡張して適用してよい。
【図面の簡単な説明】
【０１０８】
【図１】特殊効果を施した２種類のフォーマットの映像を生成する従来の方法を示す図である。
【図２】特殊効果を施した２種類のフォーマットの映像を生成する従来の方法を示す図である。
【図３】１６：９の画面，４：３の画面上の座標を示す図である。
【図４】従来の方法によってＨＤフォーマット，ＳＤフォーマットの映像に字幕が重畳される様子を例示する図である。
【図５】従来の方法によってＨＤフォーマット，ＳＤフォーマットの映像に子画面が配置される様子を例示する図である。
【図６】本発明を適用したエフェクトスイッチャーの全体構成例を示す図である。
【図７】位置調整値記憶部の記憶内容を例示する図である。
【図８】図６のエフェクトスイッチャーにおいてパラメータ入力操作部の操作時に主ユニットのマイクロコンピュータが実行する処理を示すフローチャートである。
【図９】図６のエフェクトスイッチャーによってＨＤフォーマット，ＳＤフォーマットの映像に字幕が重畳される様子を例示する図である。
【図１０】図６のエフェクトスイッチャーによってＨＤフォーマット，ＳＤフォーマットの映像に子画面が配置される様子を例示する図である。
【図１１】位置調整値記憶部に固定値を記憶した例を示す図である。
【図１２】本発明を適用したエフェクトスイッチャーの別の全体構成例を示す図である。
【図１３】４：３画面のセーフティエリアを示す図である。
【図１４】第１のサブルーチン，第２のサブルーチンの計算内容を例示する図である。
【図１５】図１２のエフェクトスイッチャーにおいてパラメータ入力操作部の操作時に主ユニットのマイクロコンピュータが実行する処理を示すフローチャートである。
【図１６】図１２のエフェクトスイッチャーによってＨＤフォーマット，ＳＤフォーマットの映像に字幕が重畳される様子を、従来の方法と対比して例示する図である。
【図１７】図１２のエフェクトスイッチャーによってＨＤフォーマット，ＳＤフォーマットの映像に子画面が配置される様子を、従来の方法と対比して例示する図である。
【符号の説明】
【０１０９】
１  主ユニット、  ２  操作パネル、  ３  通信路、  ４（１）〜４（９）  入力ライン、  ５，６  バンク、  ７，８  フォーマットコンバータ、  ９  キー映像選択スイッチ、  １０  背景映像選択スイッチ、  １１  特殊効果回路、   １２  キー映像選択スイッチ、  １３  背景映像選択スイッチ、  １４  特殊効果回路、  １７  マイクロコンピュータ、  １９  第１の位置調整値記憶部、  ２０  第２の位置調整値記憶部、  ２２  パラメータ入力操作部、  ３１  第１の演算プログラム記憶部、  ３２  第２の演算プログラム記憶部
【図１】
2007336376.tif 000003
【図２】
2007336376.tif 000004
【図３】
2007336376.tif 000005
【図４】
2007336376.tif 000006
【図５】
2007336376.tif 000007
【図６】
2007336376.tif 000008
【図７】
2007336376.tif 000009
【図８】
2007336376.tif 000010
【図９】
2007336376.tif 000011
【図１０】
2007336376.tif 000012
【図１１】
2007336376.tif 000013
【図１２】
2007336376.tif 000014
【図１３】
2007336376.tif 000015
【図１４】
2007336376.tif 000016
【図１５】
2007336376.tif 000017
【図１６】
2007336376.tif 000018
【図１７】
2007336376.tif 000019